(57)【要約】【課題】本発明はｅスポーツ設備携帯バックパックを開示した。【解決手段】収納板を含み、前記収納板の中には右方に開口したキーボードチャンバが設置され、前記キーボードチャンバの中には二組の機械爪が設置され、前記キーボードチャンバの頂端内壁にはスライド溝が連通するように設置され、前記スライド溝の中にはスライドブロックがスライドできるように連結され、その中の一組の前記機械爪が前記スライドブロックの下側端面に固定的に連結され、前記スライドブロックの中には上方に開口した凹溝が設置され、前記凹溝の中には指定の位置でロックを解除し又はロックできる引掛りロック装置が設置され、前記スライド溝の頂端内壁にはロック溝が連通するように設置される。【選択図】図１
2020182764.tif 000002
【特許請求の範囲】
【請求項１】
正面視で、収納板を含み、前記収納板の中には右方に開口したキーボードチャンバが設置され、前記キーボードチャンバの中には二組の機械爪が設置され、前記キーボードチャンバの頂端内壁にはスライド溝が連通するように設置され、前記スライド溝の中にはスライドブロックがスライドできるように連結され、その中の一組の前記機械爪が前記スライドブロックの下側端面に固定的に連結され、前記スライドブロックの中には上方に開口した凹溝が設置され、前記凹溝の中には指定の位置でロックを解除し又はロックできる引掛りロック装置が設置され、前記スライド溝の頂端内壁にはロック溝が連通するように設置され、前記ロック溝の右側が斜面であり、前記ロック溝の左端内壁には前記引掛りロック装置のロックを解除できるプッシュロッドがスライドできるように連結され、前記プッシュロッドには前記キーボードチャンバの左側外端に位置しているボタンが設置され、前記キーボードチャンバの中には上下にスライドでき、且つ前後に伸びている横柱が設置され、前記横柱には昇降装置がスライドできるように連結され、もう一つ組の前記機械爪と前記昇降装置との間が固定的に連結され、また前記昇降装置の回転により、前記機械爪をプッシュし前記機械爪に更にキーボードをきつく挟ませ、前記キーボードチャンバの上端には右方に開口したマウスチャンバが設置され、また前記マウスチャンバの開口直径は左が小さくて右が大きく、便利に取ることができ、前記マウスチャンバの中にはマウスに対し巻きつき収納できる巻きつき装置が設置され、前記収納板の右側にはファスナーが設置され、前記ファスナーの左側には背中板が設置され、前記背中板には前後に対称している肩ベルトが設置されることを特徴とするｅスポーツ設備携帯バックパック。
【請求項２】
前記スライドブロックにある機械爪を例とし、前記機械爪は前記スライドブロックに設置される台座を含み、前記台座には伝動チャンバが設置され、前記伝動チャンバの下端内壁にはキーボードと当接している当接ロッドがスライドできるように連結され、前記当接ロッドの上端と前記伝動チャンバの頂端内壁との間には圧縮ばねが連結され、前記伝動チャンバの下端には左右に対称している回転溝が連通するように設置され、前記回転溝の中には回転できる挟み板がスライドできるように連結され、前記伝動チャンバの中には左右に対称している伝動軸が回転できるように連結され、前記伝動軸には前記当接ロッドと噛合するように連結される歯車が設置され、前記歯車と前記挟み板との間が固定的に連結されることを特徴とする請求項１に記載のｅスポーツ設備携帯バックパック。
【請求項３】
前記引掛りロック装置は前記凹溝の底端内壁に設置されるスライドレールを含み、前記スライドレールには昇降ロッドがスライドできるように連結され、前記昇降ロッドと前記凹溝との間には復帰ばねが連結され、前記凹溝の左側内壁には斜面ロックロッドがスライドできるように連結され、前記斜面ロックロッドの下側には前記昇降ロッドとスライドできるように連結されるスライド道が設置され、前記昇降ロッドの左側と前記スライド道の左側内壁との間には抵抗ばねが連結され、前記凹溝の右側内壁には左右に貫通しており、且つ上方に開口した貫通溝が設置され、前記スライド溝の頂端内壁には前記斜面ロックロッドと当接している斜面プッシュブロックが設置されることを特徴とする請求項１に記載のｅスポーツ設備携帯バックパック。
【請求項４】
前記昇降装置は前記横柱とスライドできるように連結される連結ロッドを含み、前記連結ロッドの上端と前記機械爪とが固定的に連結され、前記連結ロッドにはチェーンロッドがヒンジにより連結され、前記横柱には前記連結ロッドの反時計回り側に位置している位置制限ブロックが固定的に連結され、また前記位置制限ブロックと前記連結ロッドとの間が当接しており、前記横柱には前記チェーンロッドとヒンジにより連結される充填板がスライドできるように連結され、前記キーボードチャンバの中には前記横柱の下端に位置しており、且つ前後に伸びている固定軸が固定的に連結され、前記固定軸には前記充填板と当接している回転板が回転できるように連結されることを特徴とする請求項１又は請求項２に記載のｅスポーツ設備携帯バックパック。
【請求項５】
前記巻きつき装置は前記マウスチャンバの左端内壁と固定的に連結されるねじボルトを含み、前記ねじボルトには巻きつき柱がネジ山により連結され、前記巻きつき柱の左側と前記マウスチャンバの左側内壁との間にはねじりばねが連結され、前記巻きつき柱には右方に開口した開口溝が設置され、前記開口溝の中には円盤がスライドできるように連結され、前記円盤の右側端面には前後に対称しているハンドルが設置され、前記円盤の中には前記ハンドルの間に位置しており、且つ右方に開口した置き溝が設置され、前記置き溝の中には前後に対称しているスライド板がスライドできるように連結され、前記スライド板と前記置き溝との間には挟みばねが連結され、前記巻きつき柱の上側にはバックルが設置されることを特徴とする請求項１に記載のｅスポーツ設備携帯バックパック。
【発明の詳細な説明】
【技術分野】
【０００１】
本発明はバッグ用品技術分野を取り上げて、具体的にはｅスポーツ設備携帯バックパックである。
【背景技術】
【０００２】
ｅスポーツは新たなスポーツ産業として、周辺機器の補助が欠かせない。しかし、伝統的なバックパックによりこれらの設備を携帯するとき、振動の影響で設備の電線が絡み合って結ばれるため、装置に損傷を与えやすく、本発明は上記の問題を解決できる装置を開示する。
【先行技術文献】
【特許文献】
【０００３】
【特許文献１】中国特許出願公開第１０５４１１１５９号明細書
【発明の概要】
【発明が解決しようとする課題】
【０００４】
本発明の目的はｅスポーツ設備携帯バックパックを提供し、それは上記の現在の技術中の問題を解決できる。
【課題を解決するための手段】
【０００５】
本発明のｅスポーツ設備携帯バックパックは、収納板を含み、前記収納板の中には右方に開口したキーボードチャンバが設置され、前記キーボードチャンバの中には二組の機械爪が設置され、前記キーボードチャンバの頂端内壁にはスライド溝が連通するように設置され、前記スライド溝の中にはスライドブロックがスライドできるように連結され、その中の一組の前記機械爪が前記スライドブロックの下側端面に固定的に連結され、前記スライドブロックの中には上方に開口した凹溝が設置され、前記凹溝の中には指定の位置でロックを解除し又はロックできる引掛りロック装置が設置され、前記スライド溝の頂端内壁にはロック溝が連通するように設置され、前記ロック溝の右側が斜面であり、前記ロック溝の左端内壁には前記引掛りロック装置のロックを解除できるプッシュロッドがスライドできるように連結され、前記プッシュロッドには前記キーボードチャンバの左側外端に位置しているボタンが設置され、前記キーボードチャンバの中には上下にスライドでき、且つ前後に伸びている横柱が設置され、前記横柱には昇降装置がスライドできるように連結され、もう一つ組の前記機械爪と前記昇降装置との間が固定的に連結され、また前記昇降装置の回転により、前記機械爪をプッシュし前記機械爪に更にキーボードをきつく挟ませ、前記キーボードチャンバの上端には右方に開口したマウスチャンバが設置され、また前記マウスチャンバの開口直径は左が小さくて右が大きく、便利に取ることができ、前記マウスチャンバの中にはマウスに対し巻きつき収納できる巻きつき装置が設置され、前記収納板の右側にはファスナーが設置され、前記ファスナーの左側には背中板が設置され、前記背中板には前後に対称している肩ベルトが設置される。
【０００６】
優選的には、前記スライドブロックにある機械爪を例とし、前記機械爪は前記スライドブロックに設置される台座を含み、前記台座には伝動チャンバが設置され、前記伝動チャンバの下端内壁にはキーボードと当接している当接ロッドがスライドできるように連結され、前記当接ロッドの上端と前記伝動チャンバの頂端内壁との間には圧縮ばねが連結され、前記伝動チャンバの下端には左右に対称している回転溝が連通するように設置され、前記回転溝の中には回転できる挟み板がスライドできるように連結され、前記伝動チャンバの中には左右に対称している伝動軸が回転できるように連結され、前記伝動軸には前記当接ロッドと噛合するように連結される歯車が設置され、前記歯車と前記挟み板との間が固定的に連結され、前記当接ロッドをスライドさせて噛合伝動により前記挟み板を回転させて両方向にキーボードを挟む。
【０００７】
優選的には、前記引掛りロック装置は前記凹溝の底端内壁に設置されるスライドレールを含み、前記スライドレールには昇降ロッドがスライドできるように連結され、前記昇降ロッドと前記凹溝との間には復帰ばねが連結され、前記凹溝の左側内壁には斜面ロックロッドがスライドできるように連結され、前記斜面ロックロッドの下側には前記昇降ロッドとスライドできるように連結されるスライド道が設置され、前記昇降ロッドの左側と前記スライド道の左側内壁との間には抵抗ばねが連結され、前記凹溝の右側内壁には左右に貫通しており、且つ上方に開口した貫通溝が設置され、前記スライド溝の頂端内壁には前記斜面ロックロッドと当接している斜面プッシュブロックが設置され、前記斜面ロックロッドと前記凹溝の内壁とがスライドできるように連結されることにより、該構造が自由にスライドでき、前記斜面ロックロッドが前記凹溝の内壁とスライドできるように連結されることから離脱し、また前記昇降ロッドが前記凹溝から滑り出すとき、該構造がロックされる。
【０００８】
優選的には、前記昇降装置は前記横柱とスライドできるように連結される連結ロッドを含み、前記連結ロッドの上端と前記機械爪とが固定的に連結され、前記連結ロッドにはチェーンロッドがヒンジにより連結され、前記横柱には前記連結ロッドの反時計回り側に位置している位置制限ブロックが固定的に連結され、また前記位置制限ブロックと前記連結ロッドとの間が当接しており、前記横柱には前記チェーンロッドとヒンジにより連結される充填板がスライドできるように連結され、前記キーボードチャンバの中には前記横柱の下端に位置しており、且つ前後に伸びている固定軸が固定的に連結され、前記固定軸には前記充填板と当接している回転板が回転できるように連結され、キーボードを回転させる動力が前記連結ロッドと、前記チェーンロッドにより前記充填板をプッシュし反時計回りにスライドさせ、また前記固定軸と前記横柱との間の隙間までスライドさせ、相対高度を増加し、自身に連結される前記機械爪を更にキーボードをきつく挟ませる。
【０００９】
優選的には、前記巻きつき装置は前記マウスチャンバの左端内壁と固定的に連結されるねじボルトを含み、前記ねじボルトには巻きつき柱がネジ山により連結され、前記巻きつき柱の左側と前記マウスチャンバの左側内壁との間にはねじりばねが連結され、前記巻きつき柱には右方に開口した開口溝が設置され、前記開口溝の中には円盤がスライドできるように連結され、前記円盤の右側端面には前後に対称しているハンドルが設置され、前記円盤の中には前記ハンドルの間に位置しており、且つ右方に開口した置き溝が設置され、前記置き溝の中には前後に対称しているスライド板がスライドできるように連結され、前記スライド板と前記置き溝との間には挟みばねが連結され、前記巻きつき柱の上側にはバックルが設置され、前記バックルにより電線の一端を固定し、また前記巻きつき柱の回転により電線を自身の円周表面に順次に巻き付く。
【発明の効果】
【００１０】
本発明の有益的な効果は：本発明はエリアによって分類し、きれいに収納でき、またマウスを固定し、また巻きつきの方式を採用しケーブルをきれいに収納し、振動のときでも絡み合わなく、キーボードに対する両方向挟み固定により、キーキャップが外れることを防止し、移動するときの耐震性を高める。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のｅスポーツ設備携帯バックパックの全体構造概略図
【図２】図２は図１の引掛りロック装置の構造概略図
【図３】図３は図１の機械爪の構造概略図
【図４】図４は図１のＡ―Ａの構造概略図
【図５】図５は図１のバックルの構造概略図
【図６】図６は図５のＢの拡大構造概略図
【発明を実施するための形態】
【００１３】
本発明のｅスポーツ設備携帯バックパックは、収納板１１を含み、前記収納板１１の中には右方に開口したキーボードチャンバ１２が設置され、前記キーボードチャンバ１２の中には二組の機械爪９０１が設置され、前記キーボードチャンバ１２の頂端内壁にはスライド溝２２が連通するように設置され、前記スライド溝２２の中にはスライドブロック３４がスライドできるように連結され、その中の一組の前記機械爪９０１が前記スライドブロック３４の下側端面に固定的に連結され、前記スライドブロック３４の中には上方に開口した凹溝３９が設置され、前記凹溝３９の中には指定の位置でロックを解除し又はロックできる引掛りロック装置９０２が設置され、前記スライド溝２２の頂端内壁にはロック溝５６が連通するように設置され、前記ロック溝５６の右側が斜面であり、前記ロック溝５６の左端内壁には前記引掛りロック装置９０２のロックを解除できるプッシュロッド５５がスライドできるように連結され、前記プッシュロッド５５には前記キーボードチャンバ１２の左側外端に位置しているボタン５４が設置され、前記キーボードチャンバ１２の中には上下にスライドでき、且つ前後に伸びている横柱１５が設置され、前記横柱１５には昇降装置９０３がスライドできるように連結され、もう一つ組の前記機械爪９０１と前記昇降装置９０３との間が固定的に連結され、また前記昇降装置９０３の回転により、前記機械爪９０１をプッシュし前記機械爪９０１に更にキーボードをきつく挟ませ、前記キーボードチャンバ１２の上端には右方に開口したマウスチャンバ２６が設置され、また前記マウスチャンバ２６の開口直径は左が小さくて右が大きく、便利に取ることができ、前記マウスチャンバ２６の中にはマウスに対し巻きつき収納できる巻きつき装置９０４が設置され、前記収納板１１の右側にはファスナー３１が設置され、前記ファスナー３１の左側には背中板３２が設置され、前記背中板３２には前後に対称している肩ベルト３３が設置される。
【００１４】
有益的には、前記スライドブロック３４にある機械爪９０１を例とし、前記機械爪９０１は前記スライドブロック３４に設置される台座１３を含み、前記台座１３には伝動チャンバ５０が設置され、前記伝動チャンバ５０の下端内壁にはキーボードと当接している当接ロッド４４がスライドできるように連結され、前記当接ロッド４４の上端と前記伝動チャンバ５０の頂端内壁との間には圧縮ばね４９が連結され、前記伝動チャンバ５０の下端には左右に対称している回転溝４６が連通するように設置され、前記回転溝４６の中には回転できる挟み板４５がスライドできるように連結され、前記伝動チャンバ５０の中には左右に対称している伝動軸４８が回転できるように連結され、前記伝動軸４８には前記当接ロッド４４と噛合するように連結される歯車４７が設置され、前記歯車４７と前記挟み板４５との間が固定的に連結され、前記当接ロッド４４をスライドさせて噛合伝動により前記挟み板４５を回転させて両方向にキーボードを挟む。
【００１５】
有益的には、前記引掛りロック装置９０２は前記凹溝３９の底端内壁に設置されるスライドレール４３を含み、前記スライドレール４３には昇降ロッド３７がスライドできるように連結され、前記昇降ロッド３７と前記凹溝３９との間には復帰ばね３８が連結され、前記凹溝３９の左側内壁には斜面ロックロッド３６がスライドできるように連結され、前記斜面ロックロッド３６の下側には前記昇降ロッド３７とスライドできるように連結されるスライド道４２が設置され、前記昇降ロッド３７の左側と前記スライド道４２の左側内壁との間には抵抗ばね３５が連結され、前記凹溝３９の右側内壁には左右に貫通しており、且つ上方に開口した貫通溝４１が設置され、前記スライド溝２２の頂端内壁には前記斜面ロックロッド３６と当接している斜面プッシュブロック４０が設置され、前記斜面ロックロッド３６と前記凹溝３９の内壁とがスライドできるように連結されることにより、該構造が自由にスライドでき、前記斜面ロックロッド３６が前記凹溝３９の内壁とスライドできるように連結されることから離脱し、また前記昇降ロッド３７が前記凹溝３９から滑り出すとき、該構造がロックされる。
【００１６】
有益的には、前記昇降装置９０３は前記横柱１５とスライドできるように連結される連結ロッド１４を含み、前記連結ロッド１４の上端と前記機械爪９０１とが固定的に連結され、前記連結ロッド１４にはチェーンロッド２１がヒンジにより連結され、前記横柱１５には前記連結ロッド１４の反時計回り側に位置している位置制限ブロック２０が固定的に連結され、また前記位置制限ブロック２０と前記連結ロッド１４との間が当接しており、前記横柱１５には前記チェーンロッド２１とヒンジにより連結される充填板１９がスライドできるように連結され、前記キーボードチャンバ１２の中には前記横柱１５の下端に位置しており、且つ前後に伸びている固定軸１７が固定的に連結され、前記固定軸１７には前記充填板１９と当接している回転板１８が回転できるように連結され、キーボードを回転させる動力が前記連結ロッド１４と、前記チェーンロッド２１により前記充填板１９をプッシュし反時計回りにスライドさせ、また前記固定軸１７と前記横柱１５との間の隙間までスライドさせ、相対高度を増加し、自身に連結される前記機械爪９０１を更にキーボードをきつく挟ませる。
【００１７】
有益的には、前記巻きつき装置９０４は前記マウスチャンバ２６の左端内壁と固定的に連結されるねじボルト２５を含み、前記ねじボルト２５には巻きつき柱２７がネジ山により連結され、前記巻きつき柱２７の左側と前記マウスチャンバ２６の左側内壁との間にはねじりばね２３が連結され、前記巻きつき柱２７には右方に開口した開口溝２８が設置され、前記開口溝２８の中には円盤２９がスライドできるように連結され、前記円盤２９の右側端面には前後に対称しているハンドル３０が設置され、前記円盤２９の中には前記ハンドル３０の間に位置しており、且つ右方に開口した置き溝５３が設置され、前記置き溝５３の中には前後に対称しているスライド板５２がスライドできるように連結され、前記スライド板５２と前記置き溝５３との間には挟みばね５１が連結され、前記巻きつき柱２７の上側にはバックル２４が設置され、前記バックル２４により電線の一端を固定し、また前記巻きつき柱２７の回転により電線を自身の円周表面に順次に巻き付く。
【００１８】
取り付けて携帯するとき、まずファスナー３１を開け、背中板３２を右側に九十度に翻転させ、ハンドル３０を握り巻きつき柱２７を引き右に移動させ、このとき、巻きつき柱２７がねじボルト２５との間のネジ山回転により、ねじりばね２３に運動エネルギーを蓄積させ、マウスケーブルの一端をバックル２４と当接させ、ハンドル３０を放し、マウスを握り、このとき、ねじりばね２３の弾性復帰により、巻きつき柱２７を回転させ電線を自身の表面に順次に巻き付き、またマウスをスライド板５２の間に置き、挟みばね５１の弾力により挟み、キーボードの一端を当接ロッド４４と当接させ、当接ロッド４４が伝動チャンバ５０の中に移動し、また噛合により歯車４７を回転させ、歯車４７が挟み板４５によりキーボードの左右両側を固定し、もう一端のキーボードを同じステップで固定し、また前記圧縮ばね４９の間の弾力によりキーボードの上下側を固定し、このとき、キーボードをプッシュし反時計回りに回転させ、キーボードを回転させる動力が連結ロッド１４と、チェーンロッド２１とにより充填板１９をプッシュし反時計回りにスライドさせ、また固定軸１７と横柱１５との間の隙間までスライドさせ、相対高度を増加し、自身に連結される機械爪９０１を更にキーボードをきつく挟ませ、このとき、スライドブロック３４がスライド溝２２の左側内壁と当接するまでスライドし、また斜面ロックロッド３６をプッシュし凹溝３９の中までスライドさせ、また抵抗ばね３５に運動エネルギーを蓄積させ、復帰ばね３８の弾性復帰により、昇降ロッド３７を通して斜面ロックロッド３６をプッシュし凹溝３９から移動し出させ、またロック溝５６の中に伸びさせ、そして抵抗ばね３５の弾性復帰により、斜面ロックロッド３６が左に移動し、またプッシュロッド５５をプッシュし、ボタン５４を飛び出させ、時計回りに背中板３２を九十度に回転させ、ファスナー３１を閉め、肩ベルト３３により携帯する。
【００１９】
取り出す際には、まずファスナー３１を開け、背中板３２を右側に九十度に翻転させ、ボタン５４を押し、プッシュロッド５５のプッシュにより斜面ロックロッド３６を凹溝３９の上端に位置させ、またロック溝５６の斜面の作用のもとで斜面ロックロッド３６を凹溝３９の中までプッシュし、手動でキーボードを引き時計回りに回転させ、このとき、斜面プッシュブロック４０が斜面ロックロッド３６と当接し、斜面ロックロッド３６をプッシュし下に移動させ凹溝３９の左端内壁と再びスライドできるように連結させる。
【００２０】
本発明の有益的な効果は：本発明はエリアによって分類し、きれいに収納でき、またマウスを固定し、また巻きつきの方式を採用しケーブルをきれいに収納し、振動のときでも絡み合わなく、キーボードに対する両方向挟み固定により、キーキャップが外れることを防止し、移動するときの耐震性を高める。
【００２１】
上記の方式により、当業者は本発明と同様の範囲で運用モードに基づいて様々な変更が可能である。
【図１】
2020182764.tif 000003
【図２】
2020182764.tif 000004
【図３】
2020182764.tif 000005
【図４】
2020182764.tif 000006
【図５】
2020182764.tif 000007
【図６】
2020182764.tif 000008
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
正面視で、収納板を含み、前記収納板の中には右方に開口したキーボードチャンバが設置され、前記キーボードチャンバの中には二組の機械爪が設置され、前記キーボードチャンバの頂端内壁にはスライド溝が連通するように設置され、前記スライド溝の中にはスライドブロックがスライドできるように連結され、その中の一組の前記機械爪が前記スライドブロックの下側端面に固定的に連結され、前記スライドブロックの中には上方に開口した凹溝が設置され、前記凹溝の中には指定の位置でロックを解除し又はロックできる引掛りロック装置が設置され、前記スライド溝の頂端内壁にはロック溝が連通するように設置され、前記ロック溝の右側が斜面であり、前記ロック溝の左端内壁には前記引掛りロック装置のロックを解除できるプッシュロッドがスライドできるように連結され、前記プッシュロッドには前記キーボードチャンバの左側外端に位置しているボタンが設置され、前記キーボードチャンバの中には上下にスライドでき、且つ前後に伸びている横柱が設置され、前記横柱には昇降装置がスライドできるように連結され、もう一つ組の前記機械爪と前記昇降装置との間が固定的に連結され、また前記昇降装置の回転により、前記機械爪をプッシュし前記機械爪に更にキーボードをきつく挟ませ、前記キーボードチャンバの上端には右方に開口したマウスチャンバが設置され、また前記マウスチャンバの開口直径は左が小さくて右が大きく、便利に取ることができ、前記マウスチャンバの中にはマウスに対し巻きつき収納できる巻きつき装置が設置され、前記収納板の右側にはファスナーが設置され、前記ファスナーの右側には背中板が設置され、前記背中板には前後に対称している肩ベルトが設置されることを特徴とするｅスポーツ設備携帯バックパック。
【請求項２】
前記スライドブロックに位置する前記機械爪は前記スライドブロックに設置される台座を含み、前記台座には伝動チャンバが設置され、前記伝動チャンバの下端内壁にはキーボードと当接している当接ロッドがスライドできるように連結され、前記当接ロッドの上端と前記伝動チャンバの頂端内壁との間には圧縮ばねが連結され、前記伝動チャンバの下端には左右に対称している回転溝が連通するように設置され、前記回転溝の中には回転できる挟み板がスライドできるように連結され、前記伝動チャンバの中には左右に対称している伝動軸が回転できるように連結され、前記伝動軸には前記当接ロッドと噛合するように連結される歯車が設置され、前記歯車と前記挟み板との間が固定的に連結されることを特徴とする請求項１に記載のｅスポーツ設備携帯バックパック。
【請求項３】
前記引掛りロック装置は前記凹溝の底端内壁に設置されるスライドレールを含み、前記スライドレールには昇降ロッドがスライドできるように連結され、前記昇降ロッドと前記凹溝との間には復帰ばねが連結され、前記凹溝の左側内壁には斜面ロックロッドがスライドできるように連結され、前記斜面ロックロッドの下側には前記昇降ロッドとスライドできるように連結されるスライド道が設置され、前記昇降ロッドの左側と前記スライド道の左側内壁との間には抵抗ばねが連結され、前記凹溝の右側内壁には左右に貫通しており、且つ上方に開口した貫通溝が設置され、前記スライド溝の頂端内壁には前記斜面ロックロッドと当接している斜面プッシュブロックが設置されることを特徴とする請求項１に記載のｅスポーツ設備携帯バックパック。
【請求項４】
前記昇降装置は前記横柱とスライドできるように連結される連結ロッドを含み、前記連結ロッドの上端と前記機械爪とが固定的に連結され、前記連結ロッドにはチェーンロッドがヒンジにより連結され、前記横柱には前記連結ロッドの反時計回り側に位置している位置制限ブロックが固定的に連結され、また前記位置制限ブロックと前記連結ロッドとの間が当接しており、前記横柱には前記チェーンロッドとヒンジにより連結される充填板がスライドできるように連結され、前記キーボードチャンバの中には前記横柱の下端に位置しており、且つ前後に伸びている固定軸が固定的に連結され、前記固定軸には前記充填板と当接している回転板が回転できるように連結されることを特徴とする請求項１又は請求項２に記載のｅスポーツ設備携帯バックパック。
【請求項５】
前記巻きつき装置は前記マウスチャンバの左端内壁と固定的に連結されるねじボルトを含み、前記ねじボルトには巻きつき柱がネジ山により連結され、前記巻きつき柱の左側と前記マウスチャンバの左側内壁との間にはねじりばねが連結され、前記巻きつき柱には右方に開口した開口溝が設置され、前記開口溝の中には円盤がスライドできるように連結され、前記円盤の右側端面には前後に対称しているハンドルが設置され、前記円盤の中には前記ハンドルの間に位置しており、且つ右方に開口した置き溝が設置され、前記置き溝の中には前後に対称しているスライド板がスライドできるように連結され、前記スライド板と前記置き溝との間には挟みばねが連結され、前記巻きつき柱の上側にはバックルが設置されることを特徴とする請求項１に記載のｅスポーツ設備携帯バックパック。  
【手続補正２】
【補正対象書類名】明細書
【補正対象項目名】全文
【補正方法】変更
【補正の内容】
【発明の詳細な説明】
【技術分野】
【０００１】
本発明はバッグ用品技術分野を取り上げて、具体的にはｅスポーツ設備携帯バックパックである。
【背景技術】
【０００２】
ｅスポーツは新たなスポーツ産業として、周辺機器の補助が欠かせない。しかし、伝統的なバックパックによりこれらの設備を携帯するとき、振動の影響で設備の電線が絡み合って結ばれるため、装置に損傷を与えやすく、本発明は上記の問題を解決できる装置を開示する。
【先行技術文献】
【特許文献】
【０００３】
【特許文献１】中国特許出願公開第１０５４１１１５９号明細書
【発明の概要】
【発明が解決しようとする課題】
【０００４】
本発明の目的はｅスポーツ設備携帯バックパックを提供し、それは上記の現在の技術中の問題を解決できる。
【課題を解決するための手段】
【０００５】
本発明のｅスポーツ設備携帯バックパックは、収納板を含み、前記収納板の中には右方に開口したキーボードチャンバが設置され、前記キーボードチャンバの中には二組の機械爪が設置され、前記キーボードチャンバの頂端内壁にはスライド溝が連通するように設置され、前記スライド溝の中にはスライドブロックがスライドできるように連結され、その中の一組の前記機械爪が前記スライドブロックの下側端面に固定的に連結され、前記スライドブロックの中には上方に開口した凹溝が設置され、前記凹溝の中には指定の位置でロックを解除し又はロックできる引掛りロック装置が設置され、前記スライド溝の頂端内壁にはロック溝が連通するように設置され、前記ロック溝の右側が斜面であり、前記ロック溝の左端内壁には前記引掛りロック装置のロックを解除できるプッシュロッドがスライドできるように連結され、前記プッシュロッドには前記キーボードチャンバの左側外端に位置しているボタンが設置され、前記キーボードチャンバの中には上下にスライドでき、且つ前後に伸びている横柱が設置され、前記横柱には昇降装置がスライドできるように連結され、もう一つ組の前記機械爪と前記昇降装置との間が固定的に連結され、また前記昇降装置の回転により、前記機械爪をプッシュし前記機械爪に更にキーボードをきつく挟ませ、前記キーボードチャンバの上端には右方に開口したマウスチャンバが設置され、また前記マウスチャンバの開口直径は左が小さくて右が大きく、便利に取ることができ、前記マウスチャンバの中にはマウスに対し巻きつき収納できる巻きつき装置が設置され、前記収納板の右側にはファスナーが設置され、前記ファスナーの右側には背中板が設置され、前記背中板には前後に対称している肩ベルトが設置される。
【０００６】
優選的には、前記スライドブロックに位置する前記機械爪は前記スライドブロックに設置される台座を含み、前記台座には伝動チャンバが設置され、前記伝動チャンバの下端内壁にはキーボードと当接している当接ロッドがスライドできるように連結され、前記当接ロッドの上端と前記伝動チャンバの頂端内壁との間には圧縮ばねが連結され、前記伝動チャンバの下端には左右に対称している回転溝が連通するように設置され、前記回転溝の中には回転できる挟み板がスライドできるように連結され、前記伝動チャンバの中には左右に対称している伝動軸が回転できるように連結され、前記伝動軸には前記当接ロッドと噛合するように連結される歯車が設置され、前記歯車と前記挟み板との間が固定的に連結され、前記当接ロッドをスライドさせて噛合伝動により前記挟み板を回転させて両方向にキーボードを挟む。
【０００７】
優選的には、前記引掛りロック装置は前記凹溝の底端内壁に設置されるスライドレールを含み、前記スライドレールには昇降ロッドがスライドできるように連結され、前記昇降ロッドと前記凹溝との間には復帰ばねが連結され、前記凹溝の左側内壁には斜面ロックロッドがスライドできるように連結され、前記斜面ロックロッドの下側には前記昇降ロッドとスライドできるように連結されるスライド道が設置され、前記昇降ロッドの左側と前記スライド道の左側内壁との間には抵抗ばねが連結され、前記凹溝の右側内壁には左右に貫通しており、且つ上方に開口した貫通溝が設置され、前記スライド溝の頂端内壁には前記斜面ロックロッドと当接している斜面プッシュブロックが設置され、前記斜面ロックロッドと前記凹溝の内壁とがスライドできるように連結されることにより、該構造が自由にスライドでき、前記斜面ロックロッドが前記凹溝の内壁とスライドできるように連結されることから離脱し、また前記昇降ロッドが前記凹溝から滑り出すとき、該構造がロックされる。
【０００８】
優選的には、前記昇降装置は前記横柱とスライドできるように連結される連結ロッドを含み、前記連結ロッドの上端と前記機械爪とが固定的に連結され、前記連結ロッドにはチェーンロッドがヒンジにより連結され、前記横柱には前記連結ロッドの反時計回り側に位置している位置制限ブロックが固定的に連結され、また前記位置制限ブロックと前記連結ロッドとの間が当接しており、前記横柱には前記チェーンロッドとヒンジにより連結される充填板がスライドできるように連結され、前記キーボードチャンバの中には前記横柱の下端に位置しており、且つ前後に伸びている固定軸が固定的に連結され、前記固定軸には前記充填板と当接している回転板が回転できるように連結され、キーボードを回転させる動力が前記連結ロッドと、前記チェーンロッドにより前記充填板をプッシュし反時計回りにスライドさせ、また前記固定軸と前記横柱との間の隙間までスライドさせ、相対高度を増加し、自身に連結される前記機械爪を更にキーボードをきつく挟ませる。
【０００９】
優選的には、前記巻きつき装置は前記マウスチャンバの左端内壁と固定的に連結されるねじボルトを含み、前記ねじボルトには巻きつき柱がネジ山により連結され、前記巻きつき柱の左側と前記マウスチャンバの左側内壁との間にはねじりばねが連結され、前記巻きつき柱には右方に開口した開口溝が設置され、前記開口溝の中には円盤がスライドできるように連結され、前記円盤の右側端面には前後に対称しているハンドルが設置され、前記円盤の中には前記ハンドルの間に位置しており、且つ右方に開口した置き溝が設置され、前記置き溝の中には前後に対称しているスライド板がスライドできるように連結され、前記スライド板と前記置き溝との間には挟みばねが連結され、前記巻きつき柱の上側にはバックルが設置され、前記バックルにより電線の一端を固定し、また前記巻きつき柱の回転により電線を自身の円周表面に順次に巻き付く。
【発明の効果】
【００１０】
本発明の有益的な効果は：本発明はエリアによって分類し、きれいに収納でき、またマウスを固定し、また巻きつきの方式を採用しケーブルをきれいに収納し、振動のときでも絡み合わなく、キーボードに対する両方向挟み固定により、キーキャップが外れることを防止し、移動するときの耐震性を高める。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のｅスポーツ設備携帯バックパックの全体構造概略図
【図２】図２は図１の引掛りロック装置の構造概略図
【図３】図３は図１の機械爪の構造概略図
【図４】図４は図１のＡ―Ａの構造概略図
【図５】図５は図１のバックルの構造概略図
【図６】図６は図１のＢの拡大構造概略図
【発明を実施するための形態】
【００１３】
本発明のｅスポーツ設備携帯バックパックは、収納板１１を含み、前記収納板１１の中には右方に開口したキーボードチャンバ１２が設置され、前記キーボードチャンバ１２の中には二組の機械爪９０１が設置され、前記キーボードチャンバ１２の頂端内壁にはスライド溝２２が連通するように設置され、前記スライド溝２２の中にはスライドブロック３４がスライドできるように連結され、その中の一組の前記機械爪９０１が前記スライドブロック３４の下側端面に固定的に連結され、前記スライドブロック３４の中には上方に開口した凹溝３９が設置され、前記凹溝３９の中には指定の位置でロックを解除し又はロックできる引掛りロック装置９０２が設置され、前記スライド溝２２の頂端内壁にはロック溝５６が連通するように設置され、前記ロック溝５６の右側が斜面であり、前記ロック溝５６の左端内壁には前記引掛りロック装置９０２のロックを解除できるプッシュロッド５５がスライドできるように連結され、前記プッシュロッド５５には前記キーボードチャンバ１２の左側外端に位置しているボタン５４が設置され、前記キーボードチャンバ１２の中には上下にスライドでき、且つ前後に伸びている横柱１５が設置され、前記横柱１５には昇降装置９０３がスライドできるように連結され、もう一つ組の前記機械爪９０１と前記昇降装置９０３との間が固定的に連結され、また前記昇降装置９０３の回転により、前記機械爪９０１をプッシュし前記機械爪９０１に更にキーボードをきつく挟ませ、前記キーボードチャンバ１２の上端には右方に開口したマウスチャンバ２６が設置され、また前記マウスチャンバ２６の開口直径は左が小さくて右が大きく、便利に取ることができ、前記マウスチャンバ２６の中にはマウスに対し巻きつき収納できる巻きつき装置９０４が設置され、前記収納板１１の右側にはファスナー３１が設置され、前記ファスナー３１の右側には背中板３２が設置され、前記背中板３２には前後に対称している肩ベルト３３が設置される。
【００１４】
有益的には、前記スライドブロックに位置する前記機械爪９０１は前記スライドブロック３４に設置される台座１３を含み、前記台座１３には伝動チャンバ５０が設置され、前記伝動チャンバ５０の下端内壁にはキーボードと当接している当接ロッド４４がスライドできるように連結され、前記当接ロッド４４の上端と前記伝動チャンバ５０の頂端内壁との間には圧縮ばね４９が連結され、前記伝動チャンバ５０の下端には左右に対称している回転溝４６が連通するように設置され、前記回転溝４６の中には回転できる挟み板４５がスライドできるように連結され、前記伝動チャンバ５０の中には左右に対称している伝動軸４８が回転できるように連結され、前記伝動軸４８には前記当接ロッド４４と噛合するように連結される歯車４７が設置され、前記歯車４７と前記挟み板４５との間が固定的に連結され、前記当接ロッド４４をスライドさせて噛合伝動により前記挟み板４５を回転させて両方向にキーボードを挟む。
【００１５】
有益的には、前記引掛りロック装置９０２は前記凹溝３９の底端内壁に設置されるスライドレール４３を含み、前記スライドレール４３には昇降ロッド３７がスライドできるように連結され、前記昇降ロッド３７と前記凹溝３９との間には復帰ばね３８が連結され、前記凹溝３９の左側内壁には斜面ロックロッド３６がスライドできるように連結され、前記斜面ロックロッド３６の下側には前記昇降ロッド３７とスライドできるように連結されるスライド道４２が設置され、前記昇降ロッド３７の左側と前記スライド道４２の左側内壁との間には抵抗ばね３５が連結され、前記凹溝３９の右側内壁には左右に貫通しており、且つ上方に開口した貫通溝４１が設置され、前記スライド溝２２の頂端内壁には前記斜面ロックロッド３６と当接している斜面プッシュブロック４０が設置され、前記斜面ロックロッド３６と前記凹溝３９の内壁とがスライドできるように連結されることにより、該構造が自由にスライドでき、前記斜面ロックロッド３６が前記凹溝３９の内壁とスライドできるように連結されることから離脱し、また前記昇降ロッド３７が前記凹溝３９から滑り出すとき、該構造がロックされる。
【００１６】
有益的には、前記昇降装置９０３は前記横柱１５とスライドできるように連結される連結ロッド１４を含み、前記連結ロッド１４の上端と前記機械爪９０１とが固定的に連結され、前記連結ロッド１４にはチェーンロッド２１がヒンジにより連結され、前記横柱１５には前記連結ロッド１４の反時計回り側に位置している位置制限ブロック２０が固定的に連結され、また前記位置制限ブロック２０と前記連結ロッド１４との間が当接しており、前記横柱１５には前記チェーンロッド２１とヒンジにより連結される充填板１９がスライドできるように連結され、前記キーボードチャンバ１２の中には前記横柱１５の下端に位置しており、且つ前後に伸びている固定軸１７が固定的に連結され、前記固定軸１７には前記充填板１９と当接している回転板１８が回転できるように連結され、キーボードを回転させる動力が前記連結ロッド１４と、前記チェーンロッド２１により前記充填板１９をプッシュし反時計回りにスライドさせ、また前記固定軸１７と前記横柱１５との間の隙間までスライドさせ、相対高度を増加し、自身に連結される前記機械爪９０１を更にキーボードをきつく挟ませる。
【００１７】
有益的には、前記巻きつき装置９０４は前記マウスチャンバ２６の左端内壁と固定的に連結されるねじボルト２５を含み、前記ねじボルト２５には巻きつき柱２７がネジ山により連結され、前記巻きつき柱２７の左側と前記マウスチャンバ２６の左側内壁との間にはねじりばね２３が連結され、前記巻きつき柱２７には右方に開口した開口溝２８が設置され、前記開口溝２８の中には円盤２９がスライドできるように連結され、前記円盤２９の右側端面には前後に対称しているハンドル３０が設置され、前記円盤２９の中には前記ハンドル３０の間に位置しており、且つ右方に開口した置き溝５３が設置され、前記置き溝５３の中には前後に対称しているスライド板５２がスライドできるように連結され、前記スライド板５２と前記置き溝５３との間には挟みばね５１が連結され、前記巻きつき柱２７の上側にはバックル２４が設置され、前記バックル２４により電線の一端を固定し、また前記巻きつき柱２７の回転により電線を自身の円周表面に順次に巻き付く。
【００１８】
取り付けて携帯するとき、まずファスナー３１を開け、背中板３２を右側に九十度に翻転させ、ハンドル３０を握り巻きつき柱２７を引き右に移動させ、このとき、巻きつき柱２７がねじボルト２５との間のネジ山回転により、ねじりばね２３に運動エネルギーを蓄積させ、マウスケーブルの一端をバックル２４と当接させ、ハンドル３０を放し、マウスを握り、このとき、ねじりばね２３の弾性復帰により、巻きつき柱２７を回転させ電線を自身の表面に順次に巻き付き、またマウスをスライド板５２の間に置き、挟みばね５１の弾力により挟み、キーボードの一端を当接ロッド４４と当接させ、当接ロッド４４が伝動チャンバ５０の中に移動し、また噛合により歯車４７を回転させ、歯車４７が挟み板４５によりキーボードの左右両側を固定し、もう一端のキーボードを同じステップで固定し、また前記圧縮ばね４９の間の弾力によりキーボードの上下側を固定し、このとき、キーボードをプッシュし反時計回りに回転させ、キーボードを回転させる動力が連結ロッド１４と、チェーンロッド２１とにより充填板１９をプッシュし反時計回りにスライドさせ、また固定軸１７と横柱１５との間の隙間までスライドさせ、相対高度を増加し、自身に連結される機械爪９０１を更にキーボードをきつく挟ませ、このとき、スライドブロック３４がスライド溝２２の左側内壁と当接するまでスライドし、また斜面ロックロッド３６をプッシュし凹溝３９の中までスライドさせ、また抵抗ばね３５に運動エネルギーを蓄積させ、復帰ばね３８の弾性復帰により、昇降ロッド３７を通して斜面ロックロッド３６をプッシュし凹溝３９から移動し出させ、またロック溝５６の中に伸びさせ、そして抵抗ばね３５の弾性復帰により、斜面ロックロッド３６が左に移動し、またプッシュロッド５５をプッシュし、ボタン５４を飛び出させ、時計回りに背中板３２を九十度に回転させ、ファスナー３１を閉め、肩ベルト３３により携帯する。
【００１９】
取り出す際には、まずファスナー３１を開け、背中板３２を右側に九十度に翻転させ、ボタン５４を押し、プッシュロッド５５のプッシュにより斜面ロックロッド３６を凹溝３９の上端に位置させ、またロック溝５６の斜面の作用のもとで斜面ロックロッド３６を凹溝３９の中までプッシュし、手動でキーボードを引き時計回りに回転させ、このとき、斜面プッシュブロック４０が斜面ロックロッド３６と当接し、斜面ロックロッド３６をプッシュし下に移動させ凹溝３９の左端内壁と再びスライドできるように連結させる。
【００２０】
本発明の有益的な効果は：本発明はエリアによって分類し、きれいに収納でき、またマウスを固定し、また巻きつきの方式を採用しケーブルをきれいに収納し、振動のときでも絡み合わなく、キーボードに対する両方向挟み固定により、キーキャップが外れることを防止し、移動するときの耐震性を高める。
【００２１】
上記の方式により、当業者は本発明と同様の範囲で運用モードに基づいて様々な変更が可能である。